(57)【要約】【課題】  コモン電極配線に存在する抵抗分に起因する輝度傾斜を低減することができる有機ＥＬ表示装置を提供する。【解決手段】  コモンドライバ１１を搭載しコモンドライバ１１のそれぞれの出力端子から左右両端またはそれらの近傍にまで延びる配線が施されたプリント配線板２１が設けられ、フレキシブルケーブル２２は、プリント配線板２１の左端またはその近傍における配線とコモン電極配線とを接続する。フレキシブルケーブル２３は、プリント配線板の右端またはその近傍における配線とコモン電極配線とを接続する。【選択図】  図１
2006126470.tif 000002
【特許請求の範囲】
【請求項１】
表示領域における横方向に配置された複数のコモン電極配線、有機ＥＬ層、およびコモン電極配線と交差するように表示領域における縦方向に配置され表示データに応じて駆動される複数のセグメント電極配線が基板上に形成された有機ＥＬパネルと、前記複数のコモン電極配線を線順次に駆動する単一のコモンドライバとを備えた有機ＥＬ表示装置において、
それぞれのコモン電極配線の両端の電位を揃える等電位化手段を備えた
ことを特徴とする有機ＥＬ表示装置。
【請求項２】
等電位化手段は、
コモンドライバを搭載し、コモンドライバのそれぞれの出力端子から左右両端またはそれらの近傍にまで延びる配線が施されたプリント配線板と、
前記プリント配線板の左端またはその近傍における配線とコモン電極配線とを接続する第１のフレキシブルケーブルと、
前記プリント配線板の右端またはその近傍における配線とコモン電極配線とを接続する第２のフレキシブルケーブルとで構成される
請求項１記載の有機ＥＬ表示装置。
【請求項３】
等電位化手段は、
コモンドライバを搭載し、コモンドライバのそれぞれの出力端子から端部またはその近傍にまで延びる配線が施され、それぞれの配線をコモン電極配線の一端の部分と接続するための第１の接続部分と、それぞれの配線をコモン電極配線の他端の部分と接続するための第２の接続部分とを有するフレキシブル基板で構成される
請求項１記載の有機ＥＬ表示装置。
【請求項４】
コモンドライバは、コモン電極配線、有機ＥＬ層およびセグメント電極配線が形成された基板に実装され、
等電位化手段は、
少なくともコモン電極配線と同数の配線が施され、各配線をコモン電極配線の一端の部分と接続するための接続部分を有する第１のフレキシブルケーブルと、
少なくともコモン電極配線と同数の配線が施され、各配線をコモン電極配線の他端の部分と接続するための接続部分を有する第２のフレキシブルケーブルとで構成され、
前記第１のフレキシブルケーブルおよび前記第２のフレキシブルケーブルは、自ケーブルにおける各配線と他方のケーブルにおける各配線とを１対１に接続するための接続部を備えた
請求項１記載の有機ＥＬ表示装置。
【発明の詳細な説明】
【技術分野】
【０００１】
本発明は、有機エレクトロルミネッセンス発光素子（以下、有機ＥＬ素子という。）を用いた有機ＥＬ表示装置に関する。
【背景技術】
【０００２】
マトリクス電極の各画素部に有機ＥＬ素子をそれぞれ配置した構造の有機ＥＬパネルを用いた有機ＥＬ表示装置が実現されている。有機ＥＬパネルでは、例えば、ガラス基板等の基板上に、陽極に接続されるかまたは陽極そのものを形成するＩＴＯ等の透明導電膜を用いた複数の陽極配線が例えば縦方向に配置され、それに直交する方向に、陰極に接続するかまたは陰極そのものを形成する金属を用いた複数の陰極配線が例えば横方向に配置される。陽極配線と陰極配線の交点が画素となり、両配線間に有機薄膜（有機ＥＬ素子）が挟持される。このように、基板上に、有機ＥＬ素子によって構成された画素がマトリクス状に平面配置される（例えば、特許文献１参照。）。
【０００３】
有機ＥＬ素子は、半導体発光ダイオードに似た特性を有している。すなわち、陽極側を高電圧側とし、所定の電圧を両電極間に印加して有機ＥＬ素子に電流を供給すると発光する。具体的には、陽極側の電位と陰極側の電位との差が発光開始電圧以上になると、有機ＥＬ素子に電流が流れ始める。逆に、陰極側を高電位にした場合には電流がほとんど流れず発光しない。
【０００４】
パッシブ型の有機ＥＬパネルを単純マトリクス駆動法で駆動することができる。駆動を行う際に、有機ＥＬパネルの陽極配線および陰極配線を、走査電極配線（コモン電極配線）またはデータ電極配線（セグメント電極配線）のいずれにも設定できる。つまり、陽極配線をコモン電極配線とし、陰極配線をセグメント電極配線とするか、または陽極配線をセグメント電極配線とし、陰極配線をコモン電極配線として使用できる。以下、陰極配線をコモン電極配線とし、陽極配線をセグメント電極配線とする場合を例にする。
【０００５】
パッシブ型の有機ＥＬパネルを用いた有機ＥＬ表示装置において、それぞれのコモン電極配線に対して線順次に選択電圧としての駆動電圧（一般に接地電位）を与えるために、コモンドライバが実装される。また、それぞれのセグメント電極配線に接続される定電流回路を備え表示データに応じて定電流回路を駆動するセグメントドライバが実装される。コモンドライバおよびセグメントドライバは、それぞれ、１チップＬＳＩで実現される。一般に、図９の説明図に示すように、コモンドライバ１１は有機ＥＬパネル１０の右外側または左外側に配置され（図９では左外側）、セグメントドライバ１２は有機ＥＬパネル１０の上外側または下外側に配置される（図９では上外側）。また、コモンドライバ１１やセグメントドライバ１２は、ＣＯＧ（チップ・オン・グラス）実装やＣＯＦ（チップ・オン・フィルム）実装によって実装される。なお、セグメント電極配線数が多い場合には、複数のセグメントドライバが設置されることがある。
【０００６】
【特許文献１】特開平９−２３２０７４号公報
【発明の開示】
【発明が解決しようとする課題】
【０００７】
有機ＥＬ素子は、電流が流れると発光する電流駆動素子であるため、輝度は電流量に依存している。そして、パッシブ型の有機ＥＬパネルでは、線順次に駆動される際に、１フレームにおいて、各画素の有機ＥＬ素子には１選択期間においてのみ電流が流れる。従って、有機ＥＬパネル全体としての高輝度を確保するには、各有機ＥＬ素子に多くの電流を流す必要がある。
【０００８】
点灯時に定電流回路から供給される電流は、コモン電極配線を通って、選択電圧としての接地電位になっているコモンドライバ１１に流れ込む。有機ＥＬパネル内で横方向に延びているコモン電極配線は、ＡｌやＣｒ等の金属配線で形成されているので、０．１Ω／□程度の面抵抗を有している。従って、図１０の説明図に示すように、コモン電極配線において、コモンドライバ１１から遠ざかるほど、電位（ＣＯＭ電位）ΔＶが上昇する。コモンドライバ１１から遠いとは、具体的には、コモン電極配線においてコモンドライバ１１との接続部分から遠いということである。
【０００９】
上述したように、有機ＥＬ素子は電流駆動素子であるから、コモン電極配線内で電位差が生じても定電流が供給されている限り、各画素の輝度がばらつくことはない。しかし、有機ＥＬパネルに対して特に高輝度が要求されたり、画面サイズが大きくコモン電極配線長が長い場合には、以下に説明するように、コモンドライバ１１から遠ざかった部分において画素の輝度が低下し、表示画面内において輝度が変化する現象（輝度傾斜）が生ずることがある。
【００１０】
図１１は、１本のコモン電極配線８１、コモンドライバ１１におけるスイッチング部１１ａおよびセグメントドライバ１２における定電流回路１２ａ，１２ｂ，１２ｃ，１２ｎを、画素を模式的に表すダイオードとともに示す模式図である。画素に印加される電圧をＶｐｉ（ｉ＝１〜ｎ）、定電流回路１２ａ〜１２ｎの電源電圧をＶｉｎ、配線８１側の画素の電位をＶｉ（ｉ＝１〜ｎ）、画素を流れる電流をＩｉ（ｉ＝１〜ｎ）とすると、
Ｖｉｎ−Ｖｐｉ−Ｖｉ≧Ｖｔｈ                              （式１）
を満足する限り、定電流回路１２ａ〜１２ｎは、印加される電圧の値に関わらず、定電流を流すことができ、輝度変化は生じない。ここで、Ｖｔｈは、定電流回路１２ａ〜１２ｎが定電流を流すことができる下限電圧（定電流を流すことができる定電流回路１２ａ〜１２ｎの印加電圧の下限値）である。なお、図１１において、ＳＥＧｉ（ｉ＝１〜ｎ）はｉ番目のセグメント電極を示し、ＣＯＭｘはｘ番目のコモン電極を示す。
【００１１】
しかし、コモン電極配線８１においてコモンドライバ１１から遠い側ではＶｉが上昇する。そして、式１が満たせなくなるほどにＶｉが上昇した場合には、図１２に示すように定電流回路は本来の輝度を生じさせるだけの定電流を流せなくなって、その定電流回路に接続されている画素の輝度が低下する。その結果、図１３に示すように輝度傾斜を生ずる。なお、図１３において、矩形は有機ＥＬパネルの表示領域を示す。このように、従来の有機ＥＬ表示装置には、輝度傾斜が生ずる可能性があるという課題がある。
【００１２】
そこで、本発明は、コモン電極配線に存在する抵抗分に起因する輝度傾斜を低減することができる有機ＥＬ表示装置を提供することを目的とする。
【課題を解決するための手段】
【００１３】
本発明による有機ＥＬ表示装置は、表示領域における横方向に配置された複数のコモン電極配線、有機ＥＬ層、およびコモン電極配線と交差するように表示領域における縦方向に配置され表示データに応じて駆動される複数のセグメント電極配線が基板上に形成された有機ＥＬパネルと、複数のコモン電極配線を線順次に駆動する単一のコモンドライバとを備えた有機ＥＬ表示装置であって、それぞれのコモン電極配線の両端の電位を揃える等電位化手段を備えたことを特徴とする。
【００１４】
本発明による有機ＥＬ表示装置の第１の好ましい態様は、等電位化手段が、コモンドライバを搭載し、コモンドライバのそれぞれの出力端子から左右両端またはそれらの近傍にまで延びる配線が施されたプリント配線板と、プリント配線板の左端またはその近傍における配線とコモン電極配線とを接続する第１のフレキシブルケーブルと、プリント配線板の右端またはその近傍における配線とコモン電極配線とを接続する第２のフレキシブルケーブルとを含むことを特徴とする。
【００１５】
本発明による有機ＥＬ表示装置の第２の好ましい態様は、等電位化手段が、コモンドライバを搭載し、コモンドライバのそれぞれの出力端子から端部またはその近傍にまで延びる配線が施され、それぞれの配線をコモン電極配線の一端の部分と接続するための第１の接続部分と、それぞれの配線をコモン電極配線の他端の部分と接続するための第２の接続部分とを有するフレキシブル基板を含むことを特徴とする。
【００１６】
本発明による有機ＥＬ表示装置の第３の好ましい態様は、コモンドライバは、コモン電極配線、有機ＥＬ層およびセグメント電極配線が形成された基板に実装され、等電位化手段が、少なくともコモン電極配線と同数の配線が施され、各配線をコモン電極配線の一端の部分と接続するための接続部分を有する第１のフレキシブルケーブルと、少なくともコモン電極配線と同数の配線が施され、各配線をコモン電極配線の他端の部分と接続するための接続部分を有する第２のフレキシブルケーブルとを含み、第１のフレキシブルケーブルおよび第２のフレキシブルケーブルが、自ケーブルにおける各配線と他方のケーブルにおける各配線とを１対１に接続するための接続部を備えたことを特徴とする。
【発明の効果】
【００１７】
本発明によれば、コストを上昇させることなく、コモン電極配線の左端と右端とを等電位にすることができ、輝度傾斜が発生する可能性を低減させることができる有機ＥＬ表示装置を提供することができる。
【発明を実施するための最良の形態】
【００１８】
（実施の形態１）
以下、本発明の実施の形態を図面を参照して説明する。
図１は、本発明による有機ＥＬ表示装置の第１の実施の形態を示す正面図（Ａ）、およびＢ−Ｂ断面における断面図（Ｂ）である。有機ＥＬパネル１０は、ガラス基板１３上に、複数のコモン電極配線および複数のセグメント電極配線と複数の有機ＥＬ層とが形成された有機ＥＬ素子（図示せず）が設けられている構造である。さらに、有機ＥＬパネル１０を水分等から保護するために、ガラス基板による対向基板（封止基板）１４が設置される。そして、コモン電極配線とセグメント電極配線との交点が存在する領域が表示領域１００になる。なお、図１において、コモン電極配線はＣＯＭとして示され、セグメント電極配線はＳＥＧとして示されている。
【００１９】
図１（Ａ）の正面図において、有機ＥＬパネル１０における左右両側には、それぞれのコモン電極配線に接続される配線が施されている。あるいは、コモン電極配線の両端が、有機ＥＬパネル１０における左右両端の近傍にまで延びるように、コモン電極配線が形成されている。つまり、それぞれのコモン電極配線に電気的に接続されうる部分が、有機ＥＬパネル１０における左右両側の端部近傍に存在するように、有機ＥＬパネル１０が形成される。
【００２０】
コモン電極配線に駆動電圧を与える単一の１チップＬＳＩのコモンドライバ１１は、リジッドな（硬質の）プリント配線板２１に実装される。図２は、プリント配線板２１を、図１（Ｂ）におけるコモンドライバ１１が設置されている側から見た平面図である。図２に示すように、プリント配線板２１には、コモンドライバ１１の出力端子から、プリント配線板２１の左右両端の近傍にまで延びる配線２７，２９が銅や金で形成されている。その配線は、コモンドライバ１１のそれぞれの出力端子すなわち１つのコモン電極に駆動電圧を与える端子毎に、プリント配線板２１の左右両端の近傍にまで延びるように形成されている。なお、図２ではコモンドライバ１１の１本の出力端子からの配線に関してのみ代表して符号が付されている。
【００２１】
図２に示す例では、コモンドライバ１１の出力端子から右側に延びる配線２７の途上にスルーホール２５が設けられ、さらに、プリント配線板２１の裏面においてスルーホール２５に電気的に接続される配線２８が設けられ、配線２８は、コモンドライバ１１の左側に設けられているスルーホール２６に電気的に接続されている。そして、プリント配線板２１の表面において、スルーホール２６に電気的に接続される配線２９が設けられている。従って、コモンドライバ１１の１つの出力端子から、プリント配線板２１の左右両端の近傍にまで延びる配線２７，２９が形成される。
【００２２】
なお、このような配線パターンは一例であって、コモンドライバ１１のそれぞれの出力端子からプリント配線板２１の左右両端の近傍にまで延びる配線が形成できれば、他の配線パターンを採用することもできる。
【００２３】
そして、図１および図２に示すように、フレキシブルケーブル２２の一端が、有機ＥＬパネル１０におけるコモン電極配線に電気的に接続されうる部分の一端に接続され、フレキシブルケーブル２２の他端が、プリント配線板２１における左端（または左端の近傍）まで延びている配線２９に接続される。フレキシブルケーブル２２には、それぞれの配線２９と、有機ＥＬパネル１０におけるそれぞれのコモン電極配線とを１対１に電気的に接続するための配線が形成されている。
【００２４】
また、フレキシブルケーブル２３の一端が、有機ＥＬパネル１０におけるコモン電極配線に電気的に接続されうる部分の他端に接続され、フレキシブルケーブル２３の他端が、プリント配線板２１における右端（または右端の近傍）まで延びている配線２７に接続される。フレキシブルケーブル２３には、それぞれの配線２７と、有機ＥＬパネル１０におけるそれぞれのコモン電極配線とを１対１に電気的に接続するための配線が形成されている。
【００２５】
フレキシブルケーブル２２における有機ＥＬパネル１０に接続される部分およびプリント配線板２１に接続される部分では、配線は露出している。また、フレキシブルケーブル２３における有機ＥＬパネル１０に接続される部分およびプリント配線板２１に接続される部分では、配線は露出している。
【００２６】
従って、有機ＥＬパネル１０とプリント配線板２１とがフレキシブルケーブル２２，２３で接続されている状態では、それぞれのコモン電極配線はリング状になってコモン電極配線の左端と右端とはほぼ等電位になる。その結果、図３の説明図に示すように、有機ＥＬパネル１０において、コモン電極配線の端部（左端または右端）から遠ざかるに従ってＣＯＭ電位は上昇するが、コモン電極配線の端部との電位差が最も大きくなる部分における電位差ΔＶ／２は、従来の場合に比べて半分になる（図１０参照）。よって、その電位差ΔＶ／２がＶｔｈ（図１２参照）を越える可能性は、従来の場合に比べて低くなる。その結果、輝度傾斜が発生する可能性も低減する。
【００２７】
なお、プリント配線板２１における配線２９の抵抗分およびフレキシブルケーブル２２における配線の抵抗分の和と、プリント配線板２１における配線２７の抵抗分およびフレキシブルケーブル２３における配線の抵抗分の和とが全く同じ値になることはまれなことであるから、コモン電極配線の左端と右端とが、全く等しい電位になることはまれなことである。しかし、コモン電極配線の抵抗分に比べて、プリント配線板２１における配線２７，２９の抵抗分およびフレキシブルケーブル２２，２３における配線の抵抗分ははるかに小さいので、実質的に、コモン電極配線の左端と右端とは等電位になる。
【００２８】
（実施の形態２）  
第１の実施の形態では、コモンドライバ１１を、有機ＥＬパネル１０とは分離した硬質のプリント配線板２１に搭載し、プリント配線板２１と有機ＥＬパネル１０とを２つのフレキシブルケーブル２２，２３で接続することによってそれぞれのコモン電極配線の左端と右端とを等電位にしたが、フレキシブル基板にコモンドライバ１１を搭載した場合、すなわちＣＯＦ実装した場合にも、コモン電極配線の左端と右端とを等電位にすることができる。
【００２９】
図４は、フレキシブル基板３１にコモンドライバ１１を搭載した第２の実施の形態を示す正面図（Ａ）、およびＢ−Ｂ断面における断面図（Ｂ）である。また、図５は、コモンドライバ１１を搭載したフレキシブル基板３１を、図４（Ｂ）におけるコモンドライバ１１が設置されている側（有機ＥＬパネル１０が存在する側とは反対側）から見た平面図である。
【００３０】
第１の実施の形態の場合と同様に、有機ＥＬパネル１０における左右両側には、それぞれのコモン電極配線に接続される配線が施されている。あるいは、コモン電極配線の両端が、有機ＥＬパネル１０における左右両端の近傍にまで延びるように、コモン電極配線が形成されている。つまり、それぞれのコモン電極配線に電気的に接続されうる接続部分３３，３４が、有機ＥＬパネル１０における左右両側の端部近傍に存在するように、有機ＥＬパネル１０が形成される（図４（Ａ）参照）。
【００３１】
図５に示すように、フレキシブル基板３１には単一のコモンドライバ１１が実装されるとともに、コモンドライバ１１のそれぞれの出力端子すなわち１つのコモン電極に駆動電圧を与える端子毎に、フレキシブル基板３１の右端またはその近傍にまで延びるように配線３２が銅や金で形成されている。なお、図５ではコモンドライバ１１の１本の出力端子からの配線に関してのみ代表して符号が付されている。
【００３２】
そして、図４および図５に示すように、フレキシブル基板３１は、接続部分３３，３４において有機ＥＬパネル１０に接続される。
【００３３】
また、図５に示す例では、コモンドライバ１１から延びる各配線３２は、少なくとも接続部分３３，３４において露出している。さらに、それぞれの配線３２は、少なくとも接続部分３３，３４において、それぞれのコモン電極配線に１対１に電気的に接続されるように形成されている。すなわち、接続部分３３，３４において有機ＥＬパネル１０とフレキシブル基板３１とが接続されたときに、それぞれの配線３２が、対応するコモン電極配線に接続されるように形成されている。
【００３４】
従って、有機ＥＬパネル１０とフレキシブル基板３１とが接続部分３３，３４において接続されている状態では、それぞれのコモン電極配線はリング状になって、有機ＥＬパネル１０においてコモン電極配線の左端と右端とは実質的に等電位になる。その結果、この実施の形態でも、図３の説明図に示すように、有機ＥＬパネル１０において、コモン電極配線の端部（左端または右端）から遠ざかるに従ってＣＯＭ電位は上昇するが、コモン電極配線の端部との電位差が最も大きくなる部分における電位差ΔＶ／２は、従来の場合に比べて半分になる（図１０参照）。よって、その電位差ΔＶ／２がＶｔｈ（図１２参照）を越える可能性は、従来の場合に比べて低くなる。その結果、輝度傾斜が発生する可能性も低減する。
【００３５】
（実施の形態３）
コモンドライバとセグメントドライバとが単一の１チップＬＳＩに集積化されることもある。そのような１チップＬＳＩによるドライバは、特に、装置の小型化が求められる携帯電話機などの携帯端末において用いられている。そして、そのようなドライバは、一般に、左右両側のそれぞれに、コモン電極配線に駆動電圧を与えるための複数の出力端子を有している。例えば、左側の各出力端子は、奇数番目のコモン電極配線に駆動電圧を印加するための出力端子であり、右側の各出力端子は、偶数番目のコモン電極配線に駆動電圧を印加するための出力端子である。
【００３６】
図６は、コモンドライバとセグメントドライバとが集積化された１チップドライバ１１１を使用する第３の実施の形態を示す正面図（Ａ）、Ｂ−Ｂ断面における断面図（Ｂ）、およびＣ−Ｃ断面における断面図（Ｃ）である。図６に示す例では、１チップドライバ１１１は、有機ＥＬパネル１０における下部で、ガラス基板１３の裏側（対向基板１４の側）にＣＯＧ実装されている。
【００３７】
第１および第２の実施の形態の場合と同様に、有機ＥＬパネル１０における左右両側には、それぞれのコモン電極配線に接続される配線が施されている。あるいは、コモン電極配線の両端が、有機ＥＬパネル１０における左右両端の近傍にまで延びるように、コモン電極配線が形成されている。つまり、それぞれのコモン電極配線に電気的に接続されうる接続部分３３，３４が、有機ＥＬパネル１０における左右両側の近傍に存在するように、有機ＥＬパネル１０が形成される（図６（Ａ）参照）。
【００３８】
そして、接続部分３３にはフレキシブルケーブル４１の一端が接続される。また、接続部分３４にはフレキシブルケーブル４２の一端が接続される。さらに、図６に示すように、フレキシブルケーブル４１の他端とフレキシブルケーブル４２の他端とが、接続部４３において接続される。なお、図６では、フレキシブルケーブル４１，４２が接続される前の状態が示されている。
【００３９】
図７は、有機ＥＬパネル１０を１チップドライバ１１１が搭載されている側から見た平面図である。図７に示すように、フレキシブルケーブル４１には配線４４が形成され、フレキシブルケーブル４２には配線４５が形成されている。なお、図７では１本の配線にのみ代表して符号が付されているが、配線４４と配線４５とは、少なくともコモン電極配線の数と同数形成されている。フレキシブルケーブル４１におけるそれぞれの配線は、接続部分３３において、それぞれのコモン電極配線に１対１に電気的に接続されるように形成されている。すなわち、接続部分３３において有機ＥＬパネル１０とフレキシブルケーブル４１とが接続されたときに、それぞれの配線４４が、対応するコモン電極配線に接続されるように形成されている。また、フレキシブルケーブル４２におけるそれぞれの配線は、接続部分３４において、それぞれのコモン電極配線に１対１に電気的に接続されるように形成されている。すなわち、接続部分３４において有機ＥＬパネル１０とフレキシブルケーブル４２とが接続されたときに、それぞれの配線４５が、対応するコモン電極配線に接続されるように形成されている。
【００４０】
さらに、それぞれの配線４４とそれぞれの配線４５とが、接続部４３において１対１に電気的に接続されるように、フレキシブルケーブル４１，４２において配線４４，４５が形成される。
【００４１】
また、フレキシブルケーブル４１における有機ＥＬパネル１０に接続される部分および接続部４３では、配線４４は露出している。また、フレキシブルケーブル４２における有機ＥＬパネル１０に接続される部分および接続部４３では、配線４５は露出している。
【００４２】
従って、有機ＥＬパネル１０とフレキシブルケーブル４１，４２とが接続部分３３，３４において接続され、フレキシブルケーブル４１とフレキシブルケーブル４２とが接続部４３において接続されている状態では、それぞれのコモン電極配線はリング状になって、有機ＥＬパネル１０においてコモン電極配線の左端と右端とは実質的に等電位になる。その結果、この実施の形態でも、図３の説明図に示すように、有機ＥＬパネル１０において、コモン電極配線の端部（左端または右端）から遠ざかるに従ってＣＯＭ電位は上昇するが、コモン電極配線の端部との電位差が最も大きくなる部分における電位差ΔＶ／２は、従来の場合に比べて半分になる（図１０参照）。よって、その電位差ΔＶ／２がＶｔｈ（図１２参照）を越える可能性は、従来の場合に比べて低くなる。その結果、輝度傾斜が発生する可能性も低減する。
【００４３】
（比較例）
コモンドライバの駆動能力（定電流回路からの電流引き込み能力）が不足する場合に、図８に示すように、有機ＥＬパネル１０の左右両側にそれぞれコモンドライバ１１Ａ，１１Ｂを設置する構成が採用されることがある。コモンドライバ１１Ａ，１１Ｂには、それぞれ、有機ＥＬパネル１０における全てのコモン電極配線が接続される。図８に示す構成でも、有機ＥＬパネル１０においてコモン電極配線の左端と右端とを等電位にすることができる。しかし、図８に示す比較例の構成では、２つのコモンドライバ１１Ａ，１１Ｂが必要であることから、有機ＥＬ表示装置のコストを上昇させる。それに対して、上記の第１〜第３の実施の形態の有機ＥＬ表示装置は、コストを上昇させることなく、有機ＥＬパネル１０においてコモン電極配線の左端と右端とを等電位にすることができ、輝度傾斜が発生する可能性を低減させることができる。
【産業上の利用可能性】
【００４４】
本発明を、パッシブ型の有機ＥＬ表示装置において、コモン電極配線方向の輝度傾斜の発生を抑制するために使用することができる。
【図面の簡単な説明】
【００４５】
【図１】本発明による有機ＥＬ表示装置の第１の実施の形態を示す正面図および断面図。
【図２】有機ＥＬパネルをプリント配線板をコモンドライバが設置されている側から見た平面図。
【図３】コモン電極配線における電位を示す説明図。
【図４】本発明による有機ＥＬ表示装置の第２の実施の形態を示す正面図および断面図。
【図５】有機ＥＬパネルをフレキシブル基板をコモンドライバが設置されている側から見た平面図。
【図６】本発明による有機ＥＬ表示装置の第３の実施の形態を示す正面図および断面図。
【図７】有機ＥＬパネルを１チップドライバが搭載されている側から見た平面図。
【図８】比較例を示す説明図。
【図９】一般的なコモンドライバとセグメントドライバの実装の仕方を説明するための説明図。
【図１０】コモン電極配線における電位を示す説明図。
【図１１】コモンドライバ、セグメントドライバおよび画素等を模式的に示す模式図。
【図１２】輝度傾斜の発生を説明するための説明図。
【図１３】輝度傾斜の要素の一例を示す説明図。
【符号の説明】
【００４６】
１０    有機ＥＬパネル
１１    コモンドライバ
１２    セグメントドライバ
１３    ガラス基板
１４    対向基板
２１    プリント配線板
２２，２３  フレキシブルケーブル
３１    フレキシブル基板
３３，３４  接続部分
４１，４２  フレキシブルケーブル
４３    接続部
１００  表示領域
１１１  １チップドライバ
【図１】
2006126470.tif 000003
【図２】
2006126470.tif 000004
【図３】
2006126470.tif 000005
【図４】
2006126470.tif 000006
【図５】
2006126470.tif 000007
【図６】
2006126470.tif 000008
【図７】
2006126470.tif 000009
【図８】
2006126470.tif 000010
【図９】
2006126470.tif 000011
【図１０】
2006126470.tif 000012
【図１１】
2006126470.tif 000013
【図１２】
2006126470.tif 000014
【図１３】
2006126470.tif 000015